(57)【要約】【課題】本発明は、結露水が室内側に流れるのを防止すると共に屋外から流れてくる空気を効率よく浄化でき、しかも冷たい空気が直接頭上から降り注ぐ不快感を感じることがない室内側換気口を提供する。【解決手段】室内側換気口１０の換気口本体１２の胴部１８には円筒状のカートリッジ２０が挿入されている。このカートリッジ２０のフィルター収容体２４にはフィルター３２，３２と活性炭シートフィルター３４が収容されている。また、カートリッジ２０のカートリッジ本体２２の通気部３６の下部には止水板３８が形成されている。前記換気口本体１２にはカバー４６が回動可能に取り付けられている。このカバー４６の上片５２には換気開口部５６が形成されている。【選択図】    図１
2004309064.tif 000002
【特許請求の範囲】
【請求項１】
換気口本体の室内側に形成された背板部と、この背板部の反室内側に突設された筒状の胴部と、この胴部に挿入される筒状のカートリッジと、このカートリッジに収容されると共にプリーツ状の活性炭シートを筒状に形成してなる活性炭シートフィルターと、前記カートリッジの室内側に形成された通気部の下部に立設された止水板と、前記背板部の室内側に取り付けられたカバーと、このカバーの上面に切欠き形成された換気開口部と、を有してなることを特徴とする室内側換気口。
【請求項２】
換気口本体の室内側に形成された背板部と、この背板部に貫通形成された開口部と、前記背板部の開口部と同心状に反室内側に向かって突設された円筒状の胴部と、この胴部に挿入されると共に円筒状のカートリッジ本体と円筒状のフィルター収容体を連結することにより形成されたカートリッジと、前記フィルター収容体に収容されるフィルターと、このフィルターと一緒に前記フィルター収容体に収容されると共にプリーツ状の活性炭シートを筒状にして形成された活性炭シートフィルターと、前記カートリッジ本体の室内側に形成された通気部の下部に立設された止水板と、前記背板部の室内側上側部に突設されると共に室内側上方に向かって傾斜した整流傾斜面を有する整流突起部と、前記背板部の室内側下側部に突設形成された水受けバケットと、前記背板部の室内側に取り付けられたカバーと、このカバーの上面に切欠き形成された換気開口部と、を有してなることを特徴とする室内側換気口。
【発明の詳細な説明】
【０００１】
【発明の属する技術分野】
本発明は、建築物の室内の換気を行うために建築物の室内に取り付けられる室内側換気口に関する。
【０００２】
【従来の技術】
建築物の室内の換気を行うために室内側壁に室内側換気口を取り付ける場合がある。
従来の室内側換気口の換気口本体には壁に貫通形成された通気孔に挿入される胴部が設けられ、この胴部には屋外から入り込む空気を浄化するフィルターが内蔵されている（例えば、特許文献１参照。）。
ところで、屋外から入り込む空気の湿気により前記フィルター等に結露が生じ、結露水が前記換気口本体を流れると結露水が室内側に流出し壁面を汚す場合がある。
また、屋外から流れてくる空気には窒素酸化物や硫黄酸化物等が含まれている場合があるのでフィルターで浄化する必要があるが、フィルターがあると空気抵抗が増大して室内側換気口の換気効率が悪くなるという不具合がある。
さらに、換気口本体を通過した空気は屋内側換気口の全周から室内に流れ込むため、冬等寒い時期には冷たい空気が室内に居る者の頭上から直接降り注ぐ状態となり不快感を感じる場合がある。
【０００３】
【特許文献１】
登録実用新案第２５９３５６４号公報
【０００４】
【発明が解決しようとする課題】
本発明は上記事実に鑑みなされたものであり、結露水が室内側に流れるのを防止すると共に屋外から流れてくる空気を効率よく浄化でき、しかも冷たい空気が直接頭上から降り注ぐ不快感を感じることがない室内側換気口を提供するものである。
【０００５】
【課題を解決するための手段】
請求項１の発明は、換気口本体の室内側に形成された背板部と、この背板部の反室内側に突設された筒状の胴部と、この胴部に挿入される筒状のカートリッジと、このカートリッジに収容されると共にプリーツ状の活性炭シートを筒状に形成してなる活性炭シートフィルターと、前記カートリッジの室内側に形成された通気部の下部に立設された止水板と、前記背板部の室内側に取り付けられたカバーと、このカバーの上面に切欠き形成された換気開口部と、を有してなることを特徴としている。
請求項２の発明は、換気口本体の室内側に形成された背板部と、この背板部に貫通形成された開口部と、前記背板部の開口部と同心状に反室内側に向かって突設された円筒状の胴部と、この胴部に挿入されると共に円筒状のカートリッジ本体と円筒状のフィルター収容体を連結することにより形成されたカートリッジと、前記フィルター収容体に収容されるフィルターと、このフィルターと一緒に前記フィルター収容体に収容されると共にプリーツ状の活性炭シートを筒状にして形成された活性炭シートフィルターと、前記カートリッジ本体の室内側に形成された通気部の下部に立設された止水板と、前記背板部の室内側上側部に突設されると共に室内側上方に向かって傾斜した整流傾斜面を有する整流突起部と、前記背板部の室内側下側部に突設形成された水受けバケットと、前記背板部の室内側に取り付けられたカバーと、このカバーの上面に切欠き形成された換気開口部と、を有してなることを特徴としている。
【０００６】
【発明の実施の形態】
図１〜図７には本発明に係る室内側換気口１０の一実施例が示されている。
図５に示されるように、室内側換気口１０の換気口本体１２の背板部１４は正面視矩形状に形成されている。この背板部１４には円形の開口部１６が形成され、背板部１４の反室内側には前記開口部１６と同心状に円筒状の胴部１８が突設されている。
図２及び図３に示されるように、この胴部１８には円筒状のカートリッジ２０が挿入されるようになっている。このカートリッジ２０は円筒状のカートリッジ本体２２と円筒状のフィルター収容体２４を連結して構成されている。
図５に示されるように、このカートリッジ本体２２の外周面には爪係止部２６が形成され、この爪係止部２６に前記フィルター収容体２４の外周面に突設された係止爪２８を係止させることによりカートリッジ本体２２とフィルター収容体２４は連結するようになっている。
前記カートリッジ本体２２の室内側にはリング状のリング状突起片３０が突設され、このリング状突起片３０が前記背板部１４と当接することによりカートリッジ２０は反室内側方向に移動できないようになっている。また、前記リング状突起片３０の室内側には風量調整板当接面３０Ａが形成されている。
前記フィルター収容体２４の反室内側には正面視十字状のフィルター押え片３１が形成され、円板状のフィルター３２，３２とプリーツ状に形成された活性炭シートを円筒状にした活性炭シートフィルター３４を確実に収容できるようになっている。なお、この実施例では前記活性炭シートフィルター３４はフィルター３２，３２に挟まれた状態で収容されている（図２、図３参照）。
前記カートリッジ本体２２には室内側に位置するフィルター３２を押さえるフィルター押え片３５が正面視十字状に形成されている。また、カートリッジ本体２２の通気部３６の下部には止水板３８が立ち上がった状態で一体形成されている。
前記背板部１４の室内側側部には側片４０、４０が対向して突設形成され、背板部１４の室内側上側部には整流突起部４２が突設形成されている。
図２及び図３に示されるように、この整流突起部４２の下面には室内側上方に向けて傾斜する整流傾斜面４２Ａが形成されている。また、前記背板部１４の室内側下側部には縦断面Ｕ字形状の水受けバケット４４が突設形成されている。
図４に示されるように、前記換気口本体１２の背板部１４の室内側には正面視矩形状のカバー４６が下端部を中心として回動可能に取り付けられている。従って、カバー４６を回動させることにより容易にカートリッジ２０の交換や清掃を行うことができる。
図１に示されるように、このカバー４６の正面視矩形状に形成され、カバー４６には側片５０，５０と上片５２と下片５４が突設されている。このカバー４６の上片５２には傾斜部５２Ａが形成され、傾斜部５２Ａには換気開口部５６が切欠き形成されている。
図４に示されるように、このカバー４６の内側にはカバー４６より小さく正面視矩形状に形成されたキャップ板５８が収容されている。
図６に示されるように、このキャップ板５８の反室内側の中央部には円筒状の換気調整筒体６０が突設されている。この換気調整筒体６０の先端部には換気調整突起６２，６２が突設されている。また、前記キャップ板５８の反室内側には換気調整筒体６０と同心状にリング状凹部６４が形成されている。
図２及び図３に示されるように、前記カバー４６の内側には円板状の換気調整板６６が配設されるようになっている。この換気調整板６６は換気口本体１２を流れる空気の量を調整するものであり、換気調整板６６の移動量により空気の換気量を段階的に調整できるようになっている。即ち、換気調整板６６を前記リング状突起片３０の換気調整板当接面３０Ａから離間させると換気が行われ、換気調整板６６を前記換気調整板当接面３０Ａに密着当接させると通気部３６は完全に閉じられて換気は停止されるようになっている。
図５に示されるように、前記換気調整板６６の中央部には前記換気調整筒体６０が挿入される円筒状のスプリング保持筒体６８が形成されている。このスプリング保持筒体６８の内周面には対向して前記換気調整突起６２，６２が通過できる突起通過溝７０，７０が軸方向に刻設されている。従って、前記換気調整筒体６０をスプリング保持筒体６８に挿入する場合は前記換気調整突起６２，６２を突起通過溝７０，７０に対応させることにより、換気調整筒体６０をスプリング保持筒体６８に挿入できるようになっている。
また、前記換気調整板６６の室内側面にはスプリング保持筒体６８と同心状にリング状凹部７２が窪んで形成されている。
図２及び図３に示されるように、前記換気調整板６６の室内側には断熱板７４が換気調整板６６と密着状態で配設されるようになっている。この断熱板７４は円板状に形成され、中央部に貫通口７６が形成されている。
前記スプリング保持筒体６８にはコイルスプリング７８が巻装され、コイルスプリング７８の一端部７８Ａは前記キャップ板５８のリング状凹部６４に当接し、他端部７８Ｂは換気調整板６６のリング状凹部７２に当接するようになっている。従って、このコイルスプリング７８は常時換気調整板６６を反室内側に付勢している。
図７に示されるように、前記換気調整板６６の反室内側面には前記突起通過溝７０，７０の間に前記換気調整突起６２，６２が収容される第１換気調整溝８０，８０、第２換気調整溝８２，８２、第３換気調整溝８４，８４が４５°づつずれて対角線状に対向して刻設されている。この第１換気調整溝８０，８０は浅く刻設され、第２換気調整溝８２，８２は中程度に深く刻設され、第３換気調整溝８４，８４は一番深く刻設されている。
従って、室内側換気口１０の換気量を大きくしたい時は第１換気調整溝８０，８０に換気調整突起６２，６２を収容させると換気調整板６６は前記リング状係止突起片３０から大きく離間するので換気量が大きくなり、換気量を少しにしたい時は第２換気調整溝８２，８２に換気調整突起６２，６２を収容させると換気調整板６６は前記リング状突起片３０から少し離間するので換気量が少しになり、換気を停止したい時は第３換気調整溝８４，８４に換気調整突起６２，６２を収容させると換気調整板６６は前記リング状突起片３０に密着当接するので通気部３６は完全に閉じられるため換気量は停止する。
なお、上述したように前記室内側換気口１０の換気量を調整する換気調整筒体６０や換気調整板６６等はカバー４６の内側に配設されているため、換気口本体１２の内部面積を広くすることができるため、換気抵抗を抑えて効率よく換気できる。
【０００７】
次に、実施例の作用について説明する。なお、室内側換気口１０の現在の状態は換気調整筒体６０の換気調整突起６２，６２が第１換気調整溝８０，８０に収容されて、換気調整板６６はリング状突起片３０から離れた位置で停止して換気量は多い状態となっている（図２参照）。
前記換気口本体１２を通過する空気の湿気でカートリッジ２０に収容されたフィルター３２，３２や活性炭シートフィルター３４等に結露が生じ、結露水がカートリッジ２０を室内側に流れようとしてもカートリッジ本体２２の通気部３６の下部には止水板３８が立設されているので、結露水が換気口本体１２から室内側に流れてしまうことを阻止することができる。また、万が一、結露水が前記カートリッジ２０から室内側に流れたとしても、前記背板部１４の室内側下側部には水受けバケット４４が形成されているので結露水の室内側への流出を未然に防止することができる。
換気口本体１２のカートリッジ２０にはフィルター３２，３２が内設されているので屋外の空気が前記換気口本体１２を通過する場合、前記空気に含まれている埃はフィルター３２，３２によってその多くが取り除かれ、埃の大部分が取り除かれた空気を室内に供給することができる。
また、前記フィルター３２とフィルター３２の間には活性炭シートフィルター３４が設けられているので、屋外の空気に含まれている窒素酸化物や硫黄酸化物の大部分は活性炭シートフィルター３４によって濾過されて取り除かれる。しかも、この活性炭シートフィルター３４はプリーツ状の活性炭シートを円筒状にした形状であるため、屋外から流れてくる空気の空気抵抗が増大することなく効果的に前記窒素酸化物や硫黄酸化物を濾過して減少させることができる。
前記換気口本体１２のカートリッジ２０によって浄化された空気は換気口本体１２を通過した後、換気調整板６６に当たってカバー４６の上片５２に形成された換気開口部５６を通って室内の天井方向に向かって一旦流れるので、室内の空気とよく混ざり合い冬等冷たい空気が換気口本体１２を通過しても冷たい空気は直接室内に居る者の頭上から降り注ぐことを阻止して不快感を感じることを回避することができる。
また、前記換気開口部５６近傍には室内側上方に向けて傾斜した整流傾斜面４２Ａを有する整流突起部４２が突設形成されているため、室内に流れる空気は前記整流傾斜面４２Ａに導かれて壁の室内側面から離間するように室内に流れるので、流れ込む空気に僅かに含まれている埃等によって壁の室内側面が汚れるのを防止することができる。
なお、室内側換気口１０はカバー４６の内部にキャップ板５８や換気調整板６６が配設されているので、換気口本体１２の面積を広く有効に使用することができ、空気抵抗の増大を抑えることができる。
また、室内側換気口１０の換気を停止したい場合は室内側に設けられているカバー４６を下端部を中心として回動させる。そして、換気調整板６６をコイルスプリング７８の付勢力に抗して押すと共に周方向に回して一番深く刻設されている前記第３換気調整溝８４，８４に換気調整突起６２，６２を対応させて換気調整突起６２，６２を第３換気調整溝８４，８４に収容させる。すると、換気調整板６６はコイルスプリング７８の付勢力により反室内側に移動するが換気調整板６６は換気調整突起６２，６２によりそれ以上の移動を阻止されるので、換気調整板６６はリング状突起片３０の風量調整板当接面３０Ａに密着当接して通気部３６を完全に閉じるため、換気を停止することができる（図３参照）。
なお、換気量を少なくして換気したい場合は前記換気調整板６６をコイルスプリング７８の付勢力に抗して押すと共に周方向に回して前記第２換気調整溝８２，８２に換気調整筒体６０の換気調整突起６２，６２を対応させて換気調整突起６２，６２を第２換気調整溝８２，８２に収容させる。すると、換気調整板６６はコイルスプリング７８の付勢力により反室内側に移動するが換気調整板６６は換気調整突起６２，６２によりそれ以上の移動を阻止されるので、換気調整板６６はリング状突起片３０から少し離れた位置で停止するので通気部３６から流れる空気の量を少しにすることができる。
また、再度換気量を多くしたい場合は前記換気調整板６６をコイルスプリング７８の付勢力に抗して押すと共に周方向に回して前記第１換気調整溝８０，８０に挿入筒体６０の突起ピン６２，６２を対応させて換気調整突起６２，６２を第１換気調整溝８０，８０に収容させる。すると、換気調整板６６はコイルスプリング７８の付勢力により室外側に移動するが換気調整板６６は換気調整突起６２，６２によりそれ以上の移動を阻止されるので、換気調整板６６はリング状突起片３０から離れた位置で停止するので通気部３６から流れる空気の量を多くすることができる。
【０００８】
【発明の効果】
本発明の室内側換気口は、結露水がカートリッジの中を室内側に向かって流れようとしてもカートリッジの下部には止水板が立設されているので、結露水が室内側に流れたり、結露水により壁面を汚すことを防止できるという優れた効果を有する。
また、室内側換気口は、プリーツ状の活性炭シートを円筒状にした活性炭シートフィルターを内設したので、室外から流れてくる空気の空気抵抗を増大させることなく効果的に空気に含まれている窒素酸化物や硫黄酸化物を取り除くことができるという優れた効果を有する。
さらに、室内側換気口は、カバーの上面に形成された換気開口部から室内に流れるので、冬等冷たい空気が頭部から降り注ぐことにより生ずる不愉快感をなくすことができるという優れた効果を有する。
【図面の簡単な説明】
【図１】実施例の室内側換気口の全体斜視図である。
【図２】実施例の室内側換気口の縦断面図である。
【図３】実施例の室内側換気口の縦断面図である。
【図４】実施例の室内側換気口のカバーを回動させた状態の斜視図である。
【図５】実施例の室内側換気口の分解斜視図である。
【図６】実施例の室内側換気口のカバーサポート板を室外側からみた斜視図である。
【図７】実施例の室内側換気口の換気調整板を室外側からみた斜視図である。
【符号の説明】
１０    室内側換気口
１２    換気口本体
１４    背板部
１６    開口部
１８    胴部
２０    カートリッジ
２２    カートリッジ本体
２４    フィルター収容体
３０    リング状突起片
３２    フィルター
３４    活性炭シートフィルター
３６    通気部
３８    止水板
４２    整流突起部
４２Ａ  整流傾斜
４４    水受けバケット
４６    カバー
５６    換気開口部
【図１】
2004309064.tif 000003
【図２】
2004309064.tif 000004
【図３】
2004309064.tif 000005
【図４】
2004309064.tif 000006
【図５】
2004309064.tif 000007
【図６】
2004309064.tif 000008
【図７】
2004309064.tif 000009